(57)【要約】【課題】非書込期間で生ずる画素間の明暗発生の回避等を図る。【解決手段】制御部１４からの各種信号と基準電圧生成部１２からの所定数の基準電圧とを受け取るソース・ドライバ２０の各々と、制御部１４からのゲート制御信号を受け取るゲート・ドライバの各々とによって、液晶表示パネル１６の全画素は、書込期間中に、交流駆動方式での所定の順序で駆動される。書込期間の終期から所定の時間の間、制御部１４から所定の表示データ信号、交流化制御信号及びラツチ信号をソース・ドライバ２０の各々に供給すると共に、基準電圧生成部１２から所定の基準電圧を供給して各ソース・ドライバ２０から対応するデータ線１８に交流駆動電圧の中間電圧又は或る特定の電圧を上記所定の時間印加する。【選択図】図１
2008033113.tif 000002
【特許請求の範囲】
【請求項１】
第１の方向に沿って互いに平行に配列された複数の信号電極と、前記第１の方向と直交する第２の方向に沿って互いに平行に配列された複数の走査電極と、前記信号電極と前記走査電極との交点と１対１に対応して設けられた複数の画素領域とを備える液晶表示パネルに画像信号を書き込むフレーム書込期間毎に、前記画像信号に応じて決まる駆動電圧を対応する前記信号電極に、かつ、走査電圧を前記走査電極に、交流駆動方式で印加する液晶表示パネルの駆動方法であって、
１つの前記フレーム書込期間と次の前記フレーム書込期間との間の非書込期間の一部期間の間、前記各信号電極に、前記画素領域の画素容量からリークする電気量を均一にするための均等化電圧をハイ・インピーダンス制御無しで印加した後、該均等化電圧の印加を停止して前記非書込期間の残余期間の間、ハイ・インピーダンス制御することを特徴とする液晶表示パネルの駆動方法。
【請求項２】
前記交流駆動方式による前記信号電極の各々へ前記駆動電圧を印加する時間と前記走査電極に前記走査電圧を印加している時間とが同一であることを特徴とする請求項１記載の液晶表示パネルの駆動方法。
【請求項３】
前記交流駆動方式による前記信号電極の各々へ前記駆動電圧を印加する時間は、前記走査電極に前記走査電圧を印加している時間より短いことを特徴とする請求項１記載の液晶表示パネルの駆動方法。
【請求項４】
前記均等化電圧は、交流駆動電圧の中間電圧又は或る特定の電圧であることを特徴とする請求項１、２又は３記載の液晶表示パネルの駆動方法。
【請求項５】
前記均等化電圧は、前記各信号電極に同時に又は時刻を異にして印加されることを特徴とする請求項１、２又は３記載の液晶表示パネルの駆動方法。
【請求項６】
第１の方向に沿って互いに平行に配列された複数の信号電極と、前記第１の方向と直交する第２の方向に沿って互いに平行に配列された複数の走査電極と、前記信号電極と前記走査電極との交点と１対１に対応して設けられた複数の画素領域とを備える液晶表示パネルにおいて、該液晶表示パネルのフレーム書込期間内に画像信号に応じて決まる駆動電圧を対応する前記信号電極に印加する第１の印加手段と、前記書込期間毎に走査電圧を前記走査電極に印加する第２の印加手段とを交流駆動方式で構成してなる液晶表示パネルの駆動装置であって、
１つの前記フレーム書込期間と次の前記フレーム書込期間との間の非書込期間の一部期間の間、前記各信号電極に、前記画素領域の画素容量からリークする電気量を均一にするための均等化電圧をハイ・インピーダンス制御無しで印加した後、該均等化電圧の印加を停止して前記非書込期間の残余期間の間、ハイ・インピーダンス制御する第３の印加手段を備えることを特徴とする液晶表示パネルの駆動装置。
【請求項７】
前記交流駆動方式による前記信号電極の各々へ前記駆動電圧を印加する時間と前記走査電極に前記走査電圧を印加している時間とが同一であることを特徴とする請求項６記載の液晶表示パネルの駆動装置。
【請求項８】
前記交流駆動方式による前記信号電極の各々へ前記駆動電圧を印加する時間は、前記走査電極に前記走査電圧を印加している時間より短いことを特徴とする請求項６記載の液晶表示パネルの駆動装置。
【請求項９】
前記均等化電圧は、交流駆動電圧の中間電圧又は或る特定の電圧であることを特徴とする請求項６、７又は８記載の液晶表示パネルの駆動装置。
【請求項１０】
前記第３の印加手段は、前記均等化電圧を前記各信号電極に同時に、又は時刻を異にして印加させることを特徴とする請求項６、７、８又は９記載の液晶表示パネルの駆動装置。
【請求項１１】
前記第３の印加手段は、基準電圧を出力する基準電圧生成部と、前記非書込期間内に表示データ信号、交流化制御信号及びラッチ信号を生成する制御部と、前記基準電圧生成部及び前記制御部に接続され、前記基準電圧、前記表示データ信号、前記交流化制御信号及び前記ラッチ信号に基づいて交流駆動電圧の中間電圧又は或る特定の電圧を前記各信号電極に同時に又は時刻を異にして印加させるドライバとからなることを特徴とする請求項６、７、８、９又は１０記載の液晶表示パネルの駆動装置。
【請求項１２】
前記第３の印加手段は、基準電圧を出力する基準電圧生成部と、前記非書込期間内に出力切替制御信号を生成する制御部と、前記基準電圧生成部及び前記制御部に接続され、前記基準電圧及び前記出力切替制御信号に基づいて交流駆動電圧の中間電圧又は或る特定の電圧を前記各信号電極に同時に又は時刻を異にして印加させるドライバとからなることを特徴とする請求項６、７、８、９又は１０記載の液晶表示パネルの駆動装置。
【請求項１３】
前記第３の印加手段は、前記制御部が前記非書込期間内における前記均等化電圧の印加終了から次の前記フレーム書込期間までハイ・インピーダンス制御信号を出力するように構成され、該ハイ・インピーダンス制御信号に応答して前記ドライバの出力はハイ・インピーダンスになることを特徴とする請求項７、８、９、１０、１１又は１２記載の液晶表示パネルの駆動装置。
【請求項１４】
前記第３の印加手段は、前記制御部が前記非書込期間内における前記均等化電圧の印加終了から次の前記フレーム書込期間までドライバに印加されるラッチ信号を高レベルにして出力するように構成されることを特徴とする請求項７、８、９、１０、１１又は１２記載の液晶表示パネルの駆動装置。
【請求項１５】
液晶表示パネルと、該液晶表示パネルに接続される駆動装置とを有する液晶表示装置であって、
前記駆動装置を請求項６乃至１４のいずれか一に記載の液晶表示パネルの駆動装置で構成したことを特徴とする液晶表示装置。
【発明の詳細な説明】
【技術分野】
【０００１】
この発明は、液晶表示パネルの駆動方法及びその装置並びに液晶表示装置に関し、詳しくは液晶表示パネルの表示品位を損なうことなく、消費電力の低減を図ることができる液晶表示パネルの駆動方法及びその装置並びに液晶表示装置に関する。
【背景技術】
【０００２】
近年、情報端末装置では、機能の増大に伴って消費電力の増大となり、その低減が強く要求されるに至っている。液晶表示装置を搭載した携帯電話機等においても、その液晶表示装置の消費電力の低減化が推進されている。
液晶表示装置での消費電力を低減する手段としての技術、すなわち、フレーム内の非書込期間にソース・ドライバＩＣの動作を停止し、出力固定又はハイ・インピーダンス（Ｈｉ−Ｚ）状態に制御する技術が知られている（特許文献１）。この技術での駆動タイミング図を図６に示す。
この技術によると、非書込期間中に、液晶パネルのデータ線に直流電圧成分が残留し続けることになる。
【０００３】
また、ドット反転駆動等、１ライン又は複数ライン毎の交流駆動方式を採用した液晶表示装置においては、各画素容量に交流化条件と表示データに応じた書込電圧が供給され、その書込電圧が画素容量に保持される。
【０００４】
なお、液晶パネルの消費電力の低減を図る手段として、特許文献２には、非表示期間中に対向電極に印加される電圧を表示期間中に対向電極に印加される電圧の高レベルと低レベルとの中間電位にすることが記載され、また、特許文献３には、液晶パネルで動画表示を行う場合の残像を解決する手段として、動画表示の水平期間内で画素に印加される階調電圧と固定階調電圧（中間電圧）とを切り替えてデータ線に印加することが記載されている。
【特許文献１】特開２００３−２３３３５１号公報
【特許文献２】特開２００５−０３１５９５号公報
【特許文献３】特開２００６−０１１１９９号公報
【発明の開示】
【発明が解決しようとする課題】
【０００５】
上述の特許文献１の技術及び交流駆動方式を採用した液晶表示装置においても、非書込期間中の液晶パネルの各画素に設けられているＴＦＴのソースとドレイン間に残留した電位差が掛かり、ＴＦＴの特性によってはその電位差に応じたリークが生ずる場合がある。
このリークを生じさせる電位差は、特に、交流駆動において正電圧が印加された部分の画素容量と負電圧が印加された部分の画素容量とで大きく偏るため、ＴＦＴ特性や非書込期間が長くなる等の条件により、非書込期間のリーク量が大きくなる程、各画素容量に残っている電荷による電圧の違いが大きくなり、これが各画素の明暗として認識され、表示品位を劣化させる致命的欠陥となる。ここで表示品位とは、明暗がスジ状に見えることをいう。
しかし、非書込期間中も、データ線に印加される電圧が交流化されているならば（図７）、各画素のリーク量も平均化されるので、上述のような画素間の明暗は生じないが、上記交流化のため、消費電力の増大が避けられないという技術的課題がある。
【０００６】
また、特許文献２は、非表示期間中の対向電極への階調電圧の切り替え印加を開示するが、消費電力の低減に十分ではないという技術的課題がある。特許文献３は、動画表示の水平期間内で画素に印加される階調電圧と固定階調電圧（中間電圧）とを切り替えてデータ線に印加することを開示するが、これは、上記の非書込期間における技術的課題の解決にはならない。
【０００７】
この発明は、上述の事情に鑑みてなされたもので、液晶表示パネルの表示品位を損なうことなく、消費電力の低減を図ることができる液晶表示パネルの駆動方法及びその装置並びに液晶表示装置を提供することを目的としている。
【課題を解決するための手段】
【０００８】
上記課題を解決するために、請求項１記載の発明は、第１の方向に沿って互いに平行に配列された複数の信号電極と、上記第１の方向と直交する第２の方向に沿って互いに平行に配列された複数の走査電極と、上記信号電極と上記走査電極との交点と１対１に対応して設けられた複数の画素領域とを備える液晶表示パネルに画像信号を書き込ませるフレーム書込期間毎に、上記画像信号に応じて決まる駆動電圧を対応する上記信号電極に、かつ、走査電圧を上記走査電極に、交流駆動方式で印加する液晶表示パネルの駆動方法に係り、１つの上記フレーム書込期間と次の上記フレーム書込期間との間の非書込期間の一部期間の間、上記各信号電極に、上記画素領域の画素容量からリークする電気量を均一にするための定電圧（以下、均等化電圧という）をハイ・インピーダンス制御無しで印加した後、該均等化電圧の印加を停止して上記非書込期間の残余期間の間、ハイ・インピーダンス制御することを特徴としている。
【０００９】
請求項２記載の発明は、請求項１記載の液晶表示パネルの駆動方法に係り、上記交流駆動方式による上記信号電極の各々へ上記駆動電圧を印加する時間と上記走査電極に上記走査電圧を印加している時間とが同一であることを特徴としている。
【００１０】
請求項３記載の発明は、請求項１記載の液晶表示パネルの駆動方法に係り、上記交流駆動方式による上記信号電極の各々へ上記駆動電圧を印加する時間は、上記走査電極に上記走査電圧を印加している時間より短いことを特徴としている。
【００１１】
請求項４記載の発明は、請求項１、２又は３記載の液晶表示パネルの駆動方法に係り、上記均等化電圧は、交流駆動電圧の中間電圧又は或る特定の電圧であることを特徴としている。
【００１２】
請求項５記載の発明は、請求項１、２又は３記載の液晶表示パネルの駆動方法に係り、上記均等化電圧は、上記各信号電極に同時に又は時刻を異にして印加されることを特徴としている。
【００１３】
請求項６記載の発明は、第１の方向に沿って互いに平行に配列された複数の信号電極と、上記第１の方向と直交する第２の方向に沿って互いに平行に配列された複数の走査電極と、上記信号電極と上記走査電極との交点と１対１に対応して設けられた複数の画素領域とを備える液晶表示パネルにおいて、該液晶表示パネルのフレーム書込期間内に画像信号に応じて決まる駆動電圧を対応する上記信号電極に印加する第１の印加手段と、上記書込期間毎に走査電圧を上記走査電極に印加する第２の印加手段とを交流駆動方式で構成してなる液晶表示パネルの駆動装置に係り、１つの上記フレーム書込期間と次の上記フレーム書込期間との間の非書込期間の一部期間の間、上記各信号電極に、上記画素領域の画素容量からリークする電気量を均一にするための均等化電圧をハイ・インピーダンス制御無しで印加した後、該均等化電圧の印加を停止して上記非書込期間の残余期間の間、ハイ・インピーダンス制御する第３の印加手段を備えることを特徴としている。
【００１４】
請求項７記載の発明は、請求項６記載の液晶表示パネルの駆動装置に係り、上記交流駆動方式による上記信号電極の各々へ上記駆動電圧を印加する時間と上記走査電極に上記走査電圧を印加している時間とが同一であることを特徴としている。
【００１５】
請求項８記載の発明は、請求項６記載の液晶表示パネルの駆動装置に係り、上記交流駆動方式による上記信号電極の各々へ上記駆動電圧を印加する時間は、上記走査電極に上記走査電圧を印加している時間より短いことを特徴としている。
【００１６】
請求項９記載の発明は、請求項６、７又は８記載の液晶表示パネルの駆動装置に係り、上記均等化電圧は、交流駆動電圧の中間電圧又は或る特定の電圧であることを特徴としている。
【００１７】
請求項１０記載の発明は、請求項６、７、８又は９記載の液晶表示パネルの駆動装置に係り、上記第３の印加手段は、上記均等化電圧を上記各信号電極に同時に、又は時刻を異にして印加させることを特徴としている。
【００１８】
請求項１１記載の発明は、請求項６、７、８、９又は１０記載の液晶表示パネルの駆動装置に係り、上記第３の印加手段は、基準電圧を出力する基準電圧生成部と、上記非書込期間内に表示データ信号、交流化制御信号及びラッチ信号を生成する制御部と、上記基準電圧生成部及び上記制御部に接続され、上記基準電圧、上記表示データ信号、上記交流化制御信号及び上記ラッチ信号に基づいて交流駆動電圧の中間電圧又は或る特定の電圧を上記各信号電極に同時に又は時刻を異にして印加させるドライバとからなることを特徴としている。
【００１９】
請求項１２記載の発明は、請求項６、７、８、９又は１０記載の液晶表示パネルの駆動装置に係り、上記第３の印加手段は、基準電圧を出力する基準電圧生成部と、上記非書込期間内に出力切替制御信号を生成する制御部と、上記基準電圧生成部及び上記制御部に接続され、上記基準電圧及び上記出力切替制御信号に基づいて交流駆動電圧の中間電圧又は或る特定の電圧を上記各信号電極に同時に又は時刻を異にして印加させるドライバとからなることを特徴としている。
【００２０】
請求項１３記載の発明は、請求項７、８、９、１０、１１又は１２記載の液晶表示パネルの駆動装置に係り、上記第３の印加手段は、上記制御部が上記非書込期間内における上記均等化電圧の印加終了から次の上記フレーム書込期間までハイ・インピーダンス制御信号を出力するように構成され、該ハイ・インピーダンス制御信号に応答して上記ドライバの出力はハイ・インピーダンスになることを特徴としている。
【００２１】
請求項１４記載の発明は、請求項７、８、９、１０、１１又は１２記載の液晶表示パネルの駆動装置に係り、上記第３の印加手段は、上記制御部が上記非書込期間内における上記均等化電圧の印加終了から次の上記フレーム書込期間までドライバに印加されるラッチ信号を高レベルにして出力するように構成されることを特徴としている。
【００２２】
請求項１５記載の発明は、液晶表示パネルと、該液晶表示パネルに接続される駆動装置とを有する液晶表示装置に係り、上記駆動装置を請求項７乃至１６のいずれか一に記載の液晶表示パネルの駆動装置で構成したことを特徴としている。
【発明の効果】
【００２３】
この発明によれば、複数の信号電極と直交する複数の走査電極との交点毎に設けられる画素領域の全部をフレーム書込期間内に所定の順序で駆動した後の非書込期間内の所定時間の間、上記各データ線に、上記画素領域の画素容量間のリーク量の偏差を低減させる均等化電圧を印加するようにしているので、画素容量に蓄積された電圧の非書込期間のリークは画素領域の画素容量間において均等になり、各画素領域間のリーク量の差分に基づく明暗の発生を回避でき、表示品位の劣化を防止することができる。
また、非書込期間の駆動停止又はソース・ドライバの出力のハイ・インピーダンスに設定するようにすると、消費電流の低減を図ることができる。
【発明を実施するための最良の形態】
【００２４】
この発明は、複数の信号電極と直交する複数の走査電極との交点毎に設けられる画素領域の全部をフレーム書込期間内に所定の順序で駆動した後の非書込期間内の所定時間の間、上記各データ線に、上記画素領域の画素容量間のリーク量の偏差を低減させる均等化電圧を印加させることを含んで構成される。
【実施例１】
【００２５】
図１は、この発明の実施例１である液晶表示パネルの駆動装置の電気的構成を示す図、図２は、同液晶表示パネルの画素の構成を示す図、また、図３は、同液晶表示パネルの駆動装置の駆動タイミングチャートである。
この実施例の液晶表示パネルの駆動装置１０は、液晶表示パネルの各画素を線順次駆動方式で駆動する際に各ソース・ドライバから対応するデータ線に各画素間のリーク量（リークする電気量、例えば、電流、電圧又は電荷量）の偏差を低減させるように作用する電圧を出力させる装置に係り、その要部は、図１に示すように、基準電圧生成部１２と、入力信号を受けてソース・ドライバ２０及びゲート・ドライバ２２に制御信号を送出する制御部１４と、液晶表示パネル１６のデータ線１８別に接続されるソース・ドライバ２０及び液晶表示パネル１６のゲート線２４別にゲート・ドライバ２２が接続されてその全体が構成される。
【００２６】
基準電圧生成部１２は、交流駆動方式における階調対応の書込電圧を生成するのに必要な正及び負の複数の基準電圧をソース・ドライバ２０に出力する電圧出力部である。なお、交流駆動電圧の中間電圧又は或る特定の電圧が含まれていてもよい。基準電圧生成部１２は、抵抗分圧等で構成される。
制御部１４は、液晶表示パネル１６で表示しようとする入力画像（入力信号）の表示データ信号と、交流化制御信号と、ラッチ信号と、Ｈｉ−Ｚ制御信号とをソース・ドライバ２０の各々に順次出力すると共に、ゲート・ドライバ制御信号をゲート・ドライバ２２の各々に出力する信号出力部である。表示データ信号と、交流化制御信号と、ラッチ信号と、ゲート・ドライバ制御信号とは、書込期間の水平期間毎に順次出力される。書込期間は、１フレーム分の画素対応の表示データ信号の各々を液晶表示パネル１６の対応する画素（画素領域）の各々に書き込むのに要する時間である。
【００２７】
表示データ信号は、画像を形成するフレームの書込期間（フレーム書込期間）内の各ラインの白データ、黒データ又は入力信号（画像）に基づき生成される画素の階調データと、非書込期間の始期から例えば、１水平期間の間交流駆動電圧の中間電圧又は或る特定の電圧をデータ線に印加させるための表示データ（図３のＡ）とを転送する信号である。非書込期間は、駆動装置１０で表示データ信号の信号処理に必要な時間である。上記の或る特定の電圧とは、表示品位を損なわないことが確認された電圧をいう。
交流化制御信号は、各画素の書込電圧をフレーム毎に交番させる制御信号である。
ラッチ信号は、その前縁で表示データ信号対応の書込電圧をソース・ドライバ２０に取り込んで、後縁でその書込電圧をソース・ドライバ２０からデータ線１８に出力させる制御信号である。
【００２８】
Ｈｉ−Ｚ制御信号は、非書込期間の始期から一定時間、例えば、１水平期間終了時刻から非書込期間の終期まで高レベルとなり、ソース・ドライバ２０の出力をハイ・インピーダンス状態に設定させる信号である。このＨｉ−Ｚ制御信号を用いずに、上記高レベルの期間の間、ラッチ信号の信号レベルを高レベルにしてソース・ドライバ２０の出力をハイ・インピーダンス状態に設定させるようにしてもよい。
【００２９】
ソース・ドライバ２０は、制御部１４から供給される表示データ信号（画素データ信号ともいう）、交流化制御信号及びラッチ信号の制御の下に、表示データ信号の内容に応じた正又は負の書込電圧を対応するデータ線（信号電極）に印加する電圧印加部である。
ゲート・ドライバ２２は、液晶表示パネル１６に線順次方式で表示される画像の書込期間内の水平期間毎に対応するゲート線（走査電極）２４にゲート信号を印加する電圧印加部である。
【００３０】
図２は、図１の参照文字Ａで示す部分、すなわち、画素（画素領域）を示す図で、画素３０は、ゲートがゲート線２４に接続されると共にドレインがデータ線１８に接続されるＴＦＴ３２と、一方の電極がＴＦＴ３２のソースに接続される画素容量３４とから構成され、画素容量３４の他方の電極は、共通電極３６に接続されている。
【００３１】
次に、図１、図２及び図３を参照して、この実施例の動作を説明する。
この実施例における液晶表示パネル１６の各フレームの書込期間内での各画素は、従来と同様に交流駆動方式で駆動される。その様子は、図３の（１）、（２）、…、（６−１），（６−２），…，（６−ｎ）に示される。
すなわち、入力信号（表示データ）が制御部１４に入力されると、その入力信号に対応して制御部１４から出力される表示データ信号、交流化制御信号及びラッチ信号がソース・ドライバ２０の各々に供給され、それらソース・ドライバ２０は、基準電圧生成部１２からの各基準電圧のうちの表示データ信号対応の基準電圧に基づいて駆動電圧（書込電圧）を制御部１４からの交流化制御信号及びラッチ信号によって決まる順序で、各データ線１８に同時に、かつ、順次に印加して行く一方、ゲート・ドライバ２２の各々は、線順次方式で対応するゲート線２４にゲート信号を１水平期間の間順次印加する。
かくして、液晶表示パネル１６の各画素に上記表示データ信号に対応した表示が生じ、液晶表示パネルの画面に入力信号対応の画像が現れる。
【００３２】
このような画像表示の１つのフレームの書込期間が終了して、すなわち、最終ライン（最終水平期間）の駆動が終了して非書込期間が開始されると、その開始時刻から１水平期間の間に制御部１４から供給される表示データ信号、交流化制御信号及びラッチ信号に応答するソース・ドライバ２０の各々は、基準電圧生成部１２から供給される交流駆動電圧の中間電圧又は或る特定の電圧の書込電圧（以下、非書込期間内書込電圧という）或いは基準電圧生成部１２から供給される所要の基準電圧に基づいて生成される上記非書込期間内書込電圧を対応するデータ線１８に一斉に印加する。交流駆動電圧の中間電圧と非書込期間内書込電圧とは、必ずしも、同一でなくてもよい。
【００３３】
上述の書込期間が終了して非書込期間の開始時刻から１水平期間の間、データ線１８に非書込期間内書込電圧を印加すれば、次のような効果が得られる。
交流駆動方式で各画素容量に書き込まれる書込電圧は、表示データ信号と交流化条件とに応じた値となり、次のフレームまで保持される一方、当該書込電圧を画素容量に書き込んだデータ線には、直流電圧成分が残留する。上記書込電圧も、また、上記直流電圧成分も、それぞれ、次のフレームまでの期間に上記書込電圧及び直流電圧成分がリークする放電系の時定数で漸次減衰する。
【００３４】
したがって、当該フレームの非書込期間中に各画素のＴＦＴのソース−ドレイン間に掛かる電位差は、奇数ライン（正の書込電圧が印加されるときのライン）と偶数ライン（負の書込電圧が印加されるときのライン）とで大きく偏ることになる。これは、各画素容量から流出するリーク電流に偏差を生じさせる。
【００３５】
しかし、この実施例では、非書込期間の開始時刻から１水平期間の間、データ線１８に非書込期間内書込電圧を印加しているので、各画素のＴＦＴのソースとドレイン間の電圧差分が均等になり、ＴＦＴのオフ時のリーク電流の偏差は、奇数ライン目の画素も、偶数ライン目の画素も小さくなる。つまり、画素容量に蓄積された電圧の非書込期間のリークは各画素において均等になり、各画素間のリーク量の差分に基づく明暗の発生を回避でき、表示品位の劣化を防止することができる。
【００３６】
そして、上述した非書込期間内書込電圧のデータ線１８への印加終了後に、交流化制御信号だけでなく、出力される制御信号自体を停止する（図３の（２））。これにより、消費電力の低減を図ることができる。
また、上述した非書込期間内書込電圧のデータ線１８への印加終了時に、制御部１４からソース・ドライバ２０にハイ・インピーダンス（Ｈｉ−Ｚ）制御信号が供給される（図３の（４））。これにより、ソース・ドライバ２０の出力は、ハイ・インピーダンス状態に設定される。これにより、消費電力はさらに低減される。
【００３７】
このように、この実施例の構成によれば、フレームの非書込期間の開始時刻から１水平期間の間、データ線に非書込期間内書込電圧を印加しているので、各画素のＴＦＴのソースとドレイン間の電圧差分が均等となり、したがって、画素容量に蓄積された電圧の非書込期間のリークは画素間において均等になり、各画素間のリーク量の差分に基づく明暗の発生を回避でき、表示品位の劣化を防止することができる。
また、非書込期間の駆動停止又はソース・ドライバの出力のハイ・インピーダンス設定により、消費電流の低減を図ることができる。
【実施例２】
【００３８】
図４は、この発明の実施例２である液晶表示パネルの駆動装置の電気的構成を示す図、また、図５は、同液晶表示パネルの駆動装置の駆動タイミングチャートである。
この実施例の構成が、実施例１のそれと大きく異なる点は、非書込期間内書込電圧のデータ線への印加を交流化制御信号でなく出力切替制御信号の制御の下に行うようにした点である。
【００３９】
すなわち、この実施例２の液晶表示パネルの駆動装置１０Ａは、図４及び図５に示すように、制御部１４Ａ及びソース・ドライバ２０Ａを次のように構成したことにその特徴部分がある。
制御部１４Ａは、実施例１と同様の表示データ信号（図５の（１））、交流化制御信号（図５の（２））、ラッチ信号（図５の（３））及びＨｉ−Ｚ制御信号（図５の（４））を書込期間出力するほかに、非書込期間、高レベルの出力切替制御信号（図５の（５））を出力するように構成される。また、制御部１４Ａは、図５には図示しないが、書込期間の水平期間毎に、その水平期間の間、対応するゲート・ドライバ２２へゲート・ドライバ制御信号を順次出力する。
【００４０】
また、ソース・ドライバ２０Ａの各々は、表示データ信号、交流化制御信号及びラッチ信号に応答して書込期間の対応する水平期間内に、対応するデータ線１８に表示データ信号に対応する階調の書込電圧を順次出力する。ソース・ドライバ２０ＡのＨｉ−Ｚ制御信号（図５の（４））に対する応答の仕方も、また、ラッチ信号（図５の（３））のＨｉ−Ｚ制御信号に対する代替の仕方も、実施例１と同じである。
そして、ソース・ドライバ２０Ａの各々は、各フレーム期間毎の非書込期間の間に制御部１４Ａから出力される高レベルの出力切替制御信号に応答して各フレーム期間毎の書込期間の終了時刻から書込期間に直続する非書込期間内の一定時間、例えば、１水平期間の間一定電圧値（交流駆動電圧の中間電圧又は或る特定の電圧）をデータ線１８に出力する。
この構成以外のこの実施例の構成は、実施例１と同じであるので、同一の構成部分には同一の参照符号を付して、その逐一の説明は省略する。
【００４１】
次に、図４及び図５を参照して、この実施例の動作について説明する。
この実施例における液晶表示パネル１６に対する書込期間の動作は、実施例１と同様である。
この動作によって画像表示の１つのフレームの書込期間が終了して、すなわち、最終ライン（最終水平期間）の駆動が終了して非書込期間が開始されると、その非書込期間の間に制御部１４Ａから供給される出力切替制御信号に応答するソース・ドライバ２０Ａの各々は、非書込期間の開始時刻から一定期間、例えば、１水平期間の間、基準電圧生成部１２から供給される一定電圧値又は基準電圧に基づいて生成される一定電圧値、例えば、非書込期間内書込電圧を対応するデータ線１８に一斉に印加する。
【００４２】
この非書込期間の開始時刻から一定期間の間、データ線１８に非書込期間内書込電圧を印加すると、次のような効果が得られる。
交流駆動方式で各画素容量に書き込まれる書込電圧は、表示データ信号と交流化条件とに応じた値となり、次のフレームまで保持される一方、当該書込電圧を画素容量に書き込んだデータ線には、直流電圧成分が残留する。上記書込電圧も、また、上記直流電圧成分も、それぞれ、次のフレームまでの期間に上記書込電圧及び直流電圧成分がリークする放電系の時定数で漸次減衰する。
【００４３】
したがって、当該フレームの非書込期間中に各画素のＴＦＴのソース−ドレイン間に掛かる電位差は、奇数ライン（正の書込電圧が印加されるときのライン）と偶数ライン（負の書込電圧が印加されるときのライン）とで大きく偏ることになる。これは、各画素容量から流出するリーク電流に偏差を生じさせる。
【００４４】
しかし、この実施例では、非書込期間の開始時刻から１水平期間の間、データ線１８に非書込期間内書込電圧を印加しているので、各画素のＴＦＴのソースとドレイン間の電圧差分が均等になり、ＴＦＴのオフ時のリーク電流の偏差は、奇数ライン目の画素も、偶数ライン目の画素も小さくなる。つまり、画素容量に蓄積された電圧の非書込期間のリークは画素間において均等になり、各画素間のリーク量の差分に基づく明暗の発生を回避でき、表示品位の劣化を防止することができる。
【００４５】
そして、上述した書込期間の表示データ信号の受信後、交流化制御信号を停止する（図５の（２））。これにより、消費電力の低減を図ることができる。
また、上述した非書込期間内書込電圧のデータ線１８への印加終了時に、制御部１４からソース・ドライバ２０Ａにハイ・インピーダンス（Ｈｉ−Ｚ）制御信号が供給される（図５の（４））。又は、ラッチ信号の信号レベルを高レベルにする。これにより、ソース・ドライバ２０Ａの出力は、ハイ・インピーダンス状態に設定される。これにより、消費電力はさらに低減される。
【００４６】
このように、この実施例の構成によれば、フレームの非書込期間の開始時刻から１水平期間の間、データ線に非書込期間内書込電圧を印加しているので、各画素のＴＦＴのソースとドレイン間の電圧差分が均等となり、したがって、画素容量に蓄積された電圧の非書込期間のリークは画素間において均等になり、各画素間のリーク量の差分に基づく明暗の発生を回避でき、表示品位の劣化を防止することができる。
また、非書込期間の駆動停止又はソース・ドライバの出力のハイ・インピーダンス設定により、消費電流の低減を図ることができる。
【００４７】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、液晶表示パネルの駆動において、その非書込期間内の一定期間の間、データ線に交流駆動電圧の中間電圧又は或る特定の電圧を印加する例を説明したが、その電圧を、画素間のリーク量の偏差を均等化させ得る電圧に設定してこの発明を実施し得る。
また、上記電圧をデータ線に印加する一定期間は、継続していなくてもよい。
また、線順次駆動は、１ライン毎のほか、２ライン毎等の交流駆動方式でも、この発明を実施し得る。
【産業上の利用可能性】
【００４８】
ここに開示している液晶表示パネルの駆動方法及びその装置は、各種の表示装置、例えば、情報処理装置、携帯端末装置、ビデオカメラの表示装置等やテレビ等として利用し得る。
【図面の簡単な説明】
【００４９】
【図１】この発明の実施例１である液晶表示パネルの駆動装置の電気的構成を示す図である。
【図２】同液晶表示パネルの画素の構成を示す図である。
【図３】同液晶表示パネルの駆動装置の駆動タイミングチャートである。
【図４】この発明の実施例２である液晶表示パネルの駆動装置の電気的構成を示す図である。
【図５】同液晶表示パネルの駆動装置の駆動タイミングチャートである。
【図６】従来の液晶表示パネルの第1の駆動タイミングを示す駆動タイミングチャートである。
【図７】従来の液晶表示パネルの第２の駆動タイミングを示す駆動タイミングチャートである。
【符号の説明】
【００５０】
１０、１０Ａ      液晶表示パネルの駆動装置
１２      基準電圧生成部（第３の印加手段の一部）
１４      制御部（第３の印加手段の一部）
１６      液晶表示パネル
１８      データ線（信号電極）
２０      ソース・ドライバ（第１の印加手段、第３の印加手段の残部）
２２      ゲート・ドライバ（第２の印加手段）
２４      ゲート線（走査電極）
【図１】
2008033113.tif 000003
【図２】
2008033113.tif 000004
【図３】
2008033113.tif 000005
【図４】
2008033113.tif 000006
【図５】
2008033113.tif 000007
【図６】
2008033113.tif 000008
【図７】
2008033113.tif 000009